(57)【要約】      （修正有）【課題】漏水することなく廃水を受けることができ、廃水の処理が簡単である水受け機能付き鉢台を提供する。【解決手段】水受本体２と水受本体の表面に設けられる逆円錐状パッキン４を備え、水受本体は、天板孔を有し鉢を載せるための天板２２と、天板孔の下方に設けられる水受引き出し３と、水受引き出しを収めるための筐体２１を備え、逆円錐状パッキンは、鉢からの廃水を受けてパッキン孔４４から下方へ排出する逆円錐形状のパッキン本体４１と、パッキン本体の下端の周壁外面から外方向に張り出したパッキン土台４３とを有し、天板孔とパッキン孔は連通し、パッキン本体は、パッキン本体上部に置かれた鉢の重さによって弾性変形する。【選択図】図１
2018174820.tif 000002
【特許請求の範囲】
【請求項１】
水受本体と上記水受本体の表面に設けられる逆円錐状パッキンを備えた水受け機能付き鉢台であって、
前記水受本体は、天板孔を有し鉢を載せるための天板と、前記天板孔の下方に設けられる水受引き出しと、前記水受引き出しを収めるための筐体を備え、
前記逆円錐状パッキンは、鉢からの廃水を受けてパッキン孔から下方へ排出する逆円錐形状のパッキン本体と、前記パッキン本体の下端の周壁外面から外方向に張り出したパッキン土台と、を有し、
前記天板孔と前記パッキン孔は連通し、
前記パッキン本体は、パッキン本体上部に置かれた鉢の重さによって弾性変形することを特徴とする、
水受け機能付き鉢台。
【請求項２】
前記パッキン土台の厚みが、前記パッキン本体の厚みより大きいことを特徴とする請求項１に記載の水受け機能付き鉢台。
【請求項３】
前記逆円錐状パッキンは、さらにパッキン土台裏突起を有し、パッキン土台裏突起は前記パッキン土台の裏面に備えられ、筒形で、前記パッキン孔と連通する孔を有することを特徴とする請求項１または２に記載の水受け機能付き鉢台。
【請求項４】
前記天板の裏面には、前記天板孔の周囲にリング状突起が設けられ、前記リング状突起は環状で、下側の先端が細くなった形状であることを特徴とする請求項１〜３のいずれか一項に記載の水受け機能付き鉢台。
【請求項５】
前記水受本体の内部には、防水性のある素材で形成された防水ケースが備えられたことを特徴とする請求項１〜４のいずれか一項に記載の水受け機能付き鉢台。
【請求項６】
前記水受本体の内部には、前記水受引き出しの下方に補助水受トレーが備えられたことを特徴とする請求項１〜５のいずれか一項に記載の水受け機能付き鉢台。
【請求項７】
環状溝が、前記天板の裏面の前記天板孔の周囲に備えられたことを特徴とする請求項１〜６のいずれか一項に記載の水受け機能付き鉢台。
【発明の詳細な説明】
【技術分野】
【０００１】
本発明は、鉢植えされた観葉植物等への水やりの際、鉢底から出る廃水を簡易に処理ができる鉢台に関するものである。
【背景技術】
【０００２】
一般的に、観葉植物を植えた鉢の下には鉢の植物に水やりをした際鉢底から出る廃水を受けるために皿が敷かれている。しかし、前記皿が廃水を受けることができる容量は基本的に小さく、廃水が前記皿からこぼれてしまう危険があるため植物への水やりが不十分となりやすい。特に大きな鉢においては水やりの水の量が多く、十分な水やりをするために鉢から出る廃水がこぼれてもよい場所（たとえば、屋外や浴室など）へ移動させることもあるが、鉢が重くなるので、前記皿から鉢を持ち上げ移動させることが困難である。また、前記皿の中に溜まった廃水や汚れを処理することが面倒である。
【０００３】
また、美的効果の観点からも、前記皿の中に廃水が溜まりっぱなしになるのはみっともなく、また不衛生でもあるので前記皿の中に溜まった廃水を処理する必要があるが、水やりのたびに雑巾などを準備して廃水を処理することは面倒である。よって、往々にして前記皿の中に廃水が溜まったままになっている。
【０００４】
そこで、特許文献１は、廃水を受けるための水回収トレーを有する水取付植木鉢置台（以降、鉢置台と称する）を提案している。特許文献１の鉢置台では、鉢を置くための部位（以降、部位Ａと称する）が鉢底を覆う形態で、前記部位Ａの中央には孔と、前記孔に対応して備えることのできる形態の漏斗型の受け皿が備えられ、水やりをした後に鉢底から出る廃水は漏斗型の受け皿を通って、前記漏斗型の受け皿の下に備えてある水回収トレーへと廃水が流れ落ちるというものである。
【０００５】
また、特許文献２では、穴を有する鉢台と、台の下に設けられた防水加工された引き出しを備えた植木鉢台が提案されている。
【先行技術文献】
【特許文献】
【０００６】
【特許文献１】特開２００１−３４６４５１号公報
【特許文献２】意匠登録第１５６８４７３号公報
【発明の概要】
【発明が解決しようとする課題】
【０００７】
しかしながら、特許文献１に開示された鉢置台によれば、鉢が置かれるための前記部位Ａの形態が鉢底の形態に対応したものでなければ漏水の危険があり、美的効果を失うという問題点がある。例えば、前記鉢置台の前記部位Ａにおいて、前記部位Ａの直径が鉢底の直径より小さければ、漏水する危険があり、逆に前記部位Ａが鉢底の直径より大きすぎれば鉢が前記鉢置台に沈んだ形態となり、美的効果を失う。すなわち、使用できる鉢が限定的となってしまうという欠点がある。
【０００８】
また、例えば、水回収用トレーに溜まった水を処理するために、前記水回収トレーを鉢置台から引き抜いたとき水受けが無い状態となるという問題点もある。
【０００９】
そのため、特許文献１で開示された鉢が置かれる漏斗状となった天板を平の天板にして、前記天板に孔を備え、前記天板の下に水受引き出しを備えることで鉢底から出た廃水が前記天板の前記孔を通過し、そして前記天板下に備えてある前記水受引き出しが廃水を受ける構造に変えた鉢台（以降、この鉢台を鉢台Ｘと称する）としたとき、使用できる鉢の汎用性は高まるものの、さらに以下の問題が残る。
【００１０】
上記鉢台Ｘの問題点について、図１５を用いて説明する。図１５は、筐体４２１と天板４２２からなる水受本体４０２の天板に天板孔４２５を設けて、前記天板の表面に鉢を置いた状態を示す断面図である。また廃水Ｗの流れを示す二点鎖線によって鉢底の鉢廃水孔から出た廃水の流れを図示している。
【００１１】
図１５が示すように、鉢の植物に水やりをした後に出る廃水は、全てが直下の前記天板孔４２５を通過して、水受引き出し４０３の中に落ちるわけではなく、一部は様々な面を伝って各方面に流れる。
【００１２】
例えば鉢底裏面を伝って前記天板表面４２３に流れ出てしまう廃水Ｗ１や、前記天板孔４２５を通って天板裏面４２４に流れ出た廃水が、前記天板裏面４２４を伝って放射状に流れ広がり、下に水受けのない時点で滴り落ちて水受本体４０２内部の底に溜まってしまう廃水Ｗ１もある。
【００１３】
天板表面４２３に流れ出た廃水Ｗ１や、水受本体内部に流れ落ちて溜まった廃水Ｗ１を放置してしまうと、天板が汚れて美的効果を損なってしまい、また水受本体の外に流れ出てきてしまい家具などを汚してしまうこともあるため、前記廃水Ｗ１を処理しなければならない手間が発生してしまう。
【００１４】
また特許文献２の植木鉢台は、排水処理に対する具体的な方法は開示されておらず、特許文献１の問題点と同様の問題点を有している。
【００１５】
そこで、本発明では、様々な形状や大きさの鉢に対応するために、平らな形状の天板を有しながらも、漏水することなく廃水を受けることができ、かつ廃水の管理が簡単である水受け機能付き鉢台を提供することを目的とする。
【課題を解決するための手段】
【００１６】
本発明は上記課題に鑑みてなされたものであり、請求項１記載の発明は、水受本体と上記水受本体の表面に設けられる逆円錐状パッキンを備えた水受け機能付き鉢台であって、前記水受本体は、天板孔を有し鉢を載せるための天板と、前記天板孔の下方に設けられる水受引き出しと、前記水受引き出しを収めるための筐体を備え、前記逆円錐状パッキンは、鉢からの廃水を受けてパッキン孔から下方へ排出する逆円錐形状のパッキン本体と、パッキン本体の下端の周壁外面から外方向に張り出したパッキン土台とを有し、前記天板孔と前記パッキン孔は連通し、前記パッキン本体は、パッキン本体上部に置かれた鉢の重さによって弾性変形することを特徴とする、水受け機能付き鉢台である。
【００１７】
この構成によれば、逆円錐状パッキンが鉢から出た廃水を受け、廃水はパッキン孔から天板孔を通過して水受引き出しへと流れ落ち、前記水受引き出しが廃水を受けることが可能となる。一方、鉢を前記逆円錐状パッキンの上に置いたとき、前記パッキン本体が鉢底の裏面と圧着し、同時に鉢の重さによって前記パッキン本体が弾性変形をするため、様々な鉢底の高さに対応できる。また、弾性変形した逆円錐状パッキンによって、廃水が天板の表面へと流水してしまうことを着実に防ぐ。また、前記水受引き出しの廃水受容量を大きくするようにデザインすることで、一般的な廃水を受ける方法として使用される皿より、大幅に廃水を受ける量を増やすことが可能となる。
【００１８】
逆円錐状パッキンの弾性変形についての具体例として、鉢底の裏面が平であれば前記パッキン本体は完全に押しつぶされて平となり、鉢底の裏面が底上げされた状態であれば少し押しつぶされる形となるのみにとどまるが、いずれにせよ、鉢底の裏面が前記パッキン本体に重圧をかけることで、鉢底の裏面と前記パッキン本体は圧着状態となり、結果として、鉢底の裏面の鉢廃水孔の周りをパッキングする形となり、逆円錐状パッキンは鉢底の形状に対応して防水機能を果たすことができる。
【００１９】
また、請求項２記載の発明は、請求項１に記載の水受け機能付き鉢台において、さらに前記パッキン土台の厚みが、前記パッキン本体の厚みより大きいことを特徴とする。
【００２０】
この構成によれば、鉢が前記逆円錐状パッキンの上に置かれパッキン本体が放射状に広がり弾性変形したとき、パッキン孔の内壁が反りあがることを防ぎ、逆円錐状パッキンの耐久性と逆円錐状パッキンによる防水性を高めることができる。
【００２１】
また、請求項３記載の発明は、請求項１または２に記載の水受け機能付き鉢台において、前記逆円錐状パッキンがさらにパッキン土台裏突起を有し、パッキン土台裏突起は前記パッキン土台の裏面に備えられ、筒形で、前記パッキン孔と連通する孔を有することを特徴とする。
【００２２】
この構成によれば、鉢から出た廃水がパッキン孔とパッキン土台裏突起の前記孔を通過し下へ流れ落ちる際、天板裏面を伝って流れることなく、前記天板孔の下で、かつ前記パッキン土台裏突起の下に備えられている水受引き出しの中へ直接落とすことが可能となる。
【００２３】
また、後述する天板裏のリング状突起を必ずしも必要としなくなる。天板裏面を伝って漏水として流れ出てしまう廃水の制御を前記逆円錐状パッキンのみで可能とできる点で、前記パッキン土台裏突起は本体の構造をシンプルにすることができるというメリットがある。
【００２４】
また、請求項４記載の発明は、請求項１〜３のいずれか一項に記載の水受け機能付き鉢台において、前記天板の裏面の前記天板孔の周囲にはリング状突起が設けられ、前記リング状突起は環状で、下側の先端が細くなった形状であることを特徴とする。
【００２５】
この構成によれば、鉢から出た廃水が天板孔を通過し天板裏面に出てきたとき、天板裏面を伝って流れ、水受けが存在しないところに流れ落ちることを防ぐことが可能となる。つまり、廃水が漏水せずに前記水受引き出しの中へ流し落とされる。
【００２６】
また、請求項５記載の発明は、請求項１〜４のいずれか一項に記載の水受け機能付き鉢台において、前記水受本体の内部には、防水性のある素材で形成された防水ケースが備えられたことを特徴とする。
【００２７】
この構成によれば、事故として本体への衝撃や振動が加わった時、水受引き出しから廃水がこぼれてしまうことによる漏水を防ぐ効果を高めることができる。
【００２８】
また、請求項６記載の発明は、請求項１〜５のいずれか一項に記載の水受け機能付き鉢台において、さらに前記水受本体の内部には、前記水受引き出しの下方に補助水受トレーが備えられたことを特徴とする。
【００２９】
この構成によれば、前記水受引き出しが廃水を受け、前記廃水を処理するために前記水受引き出しを本体から抜き出した際、一時的に廃水を受けるための器具がない状態になるが、補助水受けトレーが備えられることで、廃水の処理のたびに他の水受け器具を準備する手間を省くことが可能となる。
【００３０】
また、請求項７記載の発明は、請求項１〜６のいずれか一項に記載の水受け機能付き鉢台において、環状溝が、前記天板の裏面の前記天板孔の周囲に備えられたことを特徴とする水受け機能付き鉢台である。
【００３１】
この構成によれば、前記リング状突起、もしくは、前記パッキン土台裏突起を有する逆円錐状パッキンを天板裏面に備えずとも、前記天板裏面を伝って流れる廃水を制御し、前記廃水を水受引き出しの中へ流し落とすことが可能となる。
【発明の効果】
【００３２】
本発明の水受け機能付き鉢台によれば、観葉植物の管理において、美的効果を高めながら、水やりをした後に出る廃水を受けることができる許容量を増やすことができ、漏水防止による安全性を高め、廃水処理を簡易にできる。
【００３３】
これより以降、便宜上、逆円錐状パッキンをＦＰと略して表記する。
【図面の簡単な説明】
【００３４】
【図１】本発明第一実施形態の水受け機能付き鉢台外観の斜視図である。
【図２】図1を一部断面図とした斜視図である。
【図３】図２の水受引き出しを省いた斜視図である。
【図４】（ａ）は同実施形態のＦＰの斜視図であり、（ｂ）は同断面図である。
【図５】同実施形態の鉢と天板とＦＰの位置関係を示す斜視図である。
【図６】同実施形態の鉢が備えられた状態の斜視図である。
【図７】（ａ）、（ｂ）は同実施形態において異なる鉢底の形状によるＦＰの様子を示す断面図である。
【図８】（ａ）はリング状突起を示す斜視図であり、（ｂ）は同断面図である。
【図９】同実施形態の水受け機能付き鉢台の廃水の流れを示す断面図である。
【図１０】（ａ）は第２実施形態におけるＦＰの斜視図であり、（ｂ）は同断面図である。
【図１１】同実施形態のＦＰが天板に備えられた状態の斜視図である。
【図１２】（ａ）、（ｃ）は第３実施形態におけるＦＰの斜視図であり、（ｂ）は同断面図である。
【図１３】同実施形態のＦＰが天板に備えられた状態の断面図である。
【図１４】（ａ）は第４実施形態における環状溝を示す斜視図であり、（ｂ）は同断面図である。
【図１５】従来技術の水受け機能付き鉢台の断面図である。
【発明を実施するための形態】
【００３５】
以下、図面を参照しながら、本発明の好ましい実施形態について説明する。
【００３６】
まず、本発明の実施の形態に係る水受け機能付き鉢台の概略構成について説明する。図１は本発明の第一実施形態に係る水受け機能付き鉢台１の外観を示す斜視図である。
【００３７】
図１に示すように、筐体２１と天板２２からなる水受本体２は、天板表面２３上に後述されるＦＰ４と、前記天板２２の下方で、前記筐体２１に差し込まれ、着脱可能な水受引き出し３を備えている。また、前記天板２２には後述される天板孔２５と、前記天板孔２５の周りで、かつ前記天板表面２３に前記ＦＰ４のパッキン土台４３の形状に対応した形状となった後述される孔周り溝２６を備えている。
【００３８】
前記孔周り溝２６の深さは、前記FP４のパッキン土台の厚みと同じか、それよりも大きければ、廃水が前記天板表面へと流れ出ることを防ぐ効果が高くなるので望ましい。前記孔周り溝２６の深さとパッキン土台の厚みが同じ場合、前記ＦＰ４が前記孔周り溝２６に置かれたとき、パッキン土台表面と前記天板表面の高さが同レベルとなり、前記ＦＰ４のパッキン本体４１のみが前記天板表面２３より上に存在する形態になる。また、孔周り溝２６の深さをパッキン土台の厚みとパッキン本体４１の厚みの和よりも大きくすれば、後述するようにパッキン本体４１が完全に押しつぶされた状態の時（図７（a）の状態）、天板表面からパッキン本体４１が出ることを防ぐことができる。
【００３９】
（水受引き出しについての説明）
水受引き出し３は水受本体２に差し込まれる形で備えられてあり、天板孔２５から落ちてくる廃水を受ける。そのため水受引き出し３の内面は防水素材で形成されているか、あるいは防水加工がなされる必要がある。
【００４０】
ここで、前記水受引き出し３の中にさらに水受け用の器を準備し、前記器が廃水を受けるようにしてもよい。そうすれば、前記水受引き出し３が受けた廃水の処理をする際、必ずしも前記水受引き出し３を水受本体２から完全に取り出さなくても、水受引き出しの中の前記器の廃水を処理すればよく、さらに簡単に排水処理ができる。
【００４１】
（水受本体の形状について）
ところで、本発明である水受け機能付き鉢台は鉢植えへの水やりの時に出る廃水の処理に対しての利便性だけと考慮したものではなく、外観の美的効果も考慮されなくてはならない。本実施形態においては、水受本体２は立方体であるが、この形状に限られることはなく、例えば、直方体、円柱状、ドーナツ型、幾何学的形状など、多岐にわたる形状の可能性がある。また、キャビネットやブックケースなど、家具デザインの一部としたり、キャスターを備えたりなど、水受本体２の形態は意匠性によって様々である。
【００４２】
図２は図1に示した水受け機能付き鉢台において、一部断面図とし、前記天板孔とパッキン孔が連通していることと、天板裏面にリング状突起を備えたことと、本体内部の防水加工がなされた状態を示す斜視図である。
【００４３】
図２が示すように、水受本体２において、天板孔２５が天板２２に備えられ、ＦＰ４は、天板孔２５とＦＰ４のパッキン孔４４が連通した形態で、かつ孔周り溝２６にパッキン土台が嵌るように備えられている。また前記天板２２において、天板裏面２４で、かつ前記天板孔２５の周りを囲う形態で後述されるリング状突起５が備えられている。
【００４４】
（水受本体２内部について）
水受本体２内部は、すなわち前記天板裏面２４と前記筐体２１内面の構成される形態である。前記水受本体２内部に、防水効果のある素材を使用して形成された後述される防水ケース６が内装されている。この時、前記水受引き出し３は、水受本体２と同時に、前記防水ケースにも差し込まれる形態で備えられることになる。
【００４５】
（防水ケースについての説明）
前記防水ケース６は、前記水受本体２に衝撃や振動が加わった際、前記水受引き出し３に溜まった廃水が前記水受本体２内部より外に飛び出さないよう、防水性を高めるものである。本実施形態においては、前記防水ケースはアクリル素材で、直方体の形状で形成されているが、耐水性があり前記水受本体２内部に水を留めておくことができる構造であるという条件を満たす限り素材の変更は可能である。１例として、前記水受本体２の内面を防水塗装する手段もある。
【００４６】
また、前記防水ケース６の形態は前記水受本体２内面の形態に対応し、前記防水ケース６の肉厚は防水効果が得ることができる範囲で薄いものが望ましい。
【００４７】
図３は図２に示した水受け機能付き鉢台において、水受引き出しを外した状態を示す斜視図であり、水受引き出しの下に補助水受けトレー７が備えられた状態を示す。
【００４８】
（補助水受けトレーについての説明）
補助水受けトレー７の設置場所は水受本体２内部で、かつ防水ケース６内部で、かつ、前記水受引き出し３の下である。もし、水受本体２が防水ケース６を備えない場合においては、前記水受本体２内部で、かつ前記水受引き出し３の下となる。
【００４９】
補助水受けトレー７は、水受引き出し３が廃水の処理のため、一時的に水受けが存在しなくなった時に、予備として水受けを担うために水受本体２内部に備えられている。
【００５０】
基本的に、ほとんどの廃水は水受引き出し３が受けるため、補助水受けトレー７はコンパクトなサイズで備えられると全体の機能性と美的効果を高めることができる。
【００５１】
（逆円錐状パッキン（ＦＰ）についての説明）
図４（ａ）は第一実施形態におけるＦＰの斜視図であり、図４（ｂ）はその断面図である。
【００５２】
図４が示すように、ＦＰ４はパッキン本体４１とパッキン土台４３とＦＰ下部中央にパッキン孔４４を備え、パッキン本体の最上部４２の外周からパッキン土台４３に方向に断面が絞られる形で細くなった逆円錐状の形態となっている。本実施形態における前記パッキン本体４１の傾斜は垂直から外側に30度ほど開いた形となっている。
【００５３】
本実施形態においては、ＦＰ４の材質はシリコーンゴムである。前記ＦＰ４を形成させるための材質は、前記パッキン本体４１が弾性変形を可能とし、耐水性があり、鉢底の面と圧着（接着）することができる材質であれば、適宜変更が可能である。
【００５４】
本実施形態において、前記ＦＰ４の前記パッキン土台４３と前記パッキン本体４１の厚みは共に３ｍｍである。パッキン土台の厚みは３ｍｍ〜３０ｍｍが好ましく、３ｍｍ〜２０ｍｍがさらに好ましい。一般的に家具などの天板は３０ｍｍ以下であるため、パッキン土台の厚みが２０ｍｍを超えると天板にフィットしにくくなるためである。パッキン本体の厚みは１ｍｍ〜１０ｍｍが好ましい。詳しくは後述するが、前記パッキン土台４３の厚みや形状を変えることでＦＰの機能性は向上する。
【００５５】
図５は第一実施形態の水受け機能付き鉢台において、鉢と天板とＦＰが備えられた位置関係を示す斜視図である。また、前記鉢と前記天板と前記ＦＰの関係性を明確にするため、天板の下の図示を省いてある。
【００５６】
図５が示すように、前記天板２２の前記天板表面２３で、かつ前記天板孔２５の周りに、ＦＰ４のパッキン土台４３の形態に対応する形態の孔周り溝２６を備え、前記孔周り溝２６にパッキン土台が嵌るようにＦＰ４を置き、前記ＦＰ４の上に鉢８を置く。そのとき、鉢８は前記ＦＰ４のパッキン本体の最上部４２の内周が鉢底裏面で、鉢廃水孔８１を囲う形態で置かれる。
【００５７】
図６は、図５が示した前記鉢と前記天板と前記ＦＰにおいて、前記ＦＰの上に前記鉢が備えられたとき、ＦＰ（破線で図示）が目視できない状態にあることを示した斜視図である。
【００５８】
図６が示すように、前記鉢８を前記ＦＰ４の上に置いたとき、鉢底から前記ＦＰ４のパッキン本体４１がはみ出るなどがなく、一見するところ、ＦＰ４の存在が分からない形でＦＰ４が備えることで、美的効果を損なうことなく防水できる。
【００５９】
図７（ａ）、（ｂ）は鉢底の形状の違いにおいて、ＦＰが弾性変形をしながら機能することを示す断面図である。
【００６０】
図７（ａ）、（ｂ）が示すように、鉢底の裏の形態は様々である。図７（ａ）の様に鉢底の裏が平の物もあれば、図７（ｂ）の様に底上げされた形状の物もある。鉢は鉢底の中心に排水孔が1つ空いているものが一般的であるが、前記鉢廃水孔の直径は１０ｍｍくらいのものや３０ｍｍくらいのなど様々にある。おおむね、約１０ｍｍから約３０ｍｍが一般的である。
【００６１】
鉢８はＦＰ４の上に置き、鉢廃水孔の周りに前記ＦＰ４のパッキン本体４１が接着するが、前記パッキン本体４１が弾性変形し、鉢底裏面と圧着する形となる。前記パッキン本体４１において、パッキン本体の最上部４２の内周の直径が前記鉢廃水孔８１より大きければよい。例えば、鉢廃水孔の直径３０ｍｍとしたとき、前記パッキン本体の最上部４２の内周が３０ｍｍ以上であれば機能するが、鉢廃水孔の直径よりパッキン本体の最上部４２の内周が余裕をもって大きくなることが望ましい。
【００６２】
図７（ａ）のように鉢底裏面８２が平であれば前記パッキン本体４１は押しつぶされて平となり、図７（ｂ）の様に鉢底裏面８２が底上げされた状態であれば前記パッキン本体４１は少し押しつぶされる形となるのみにとどまるが、いずれにせよ、鉢底裏面８２が前記パッキン本体４１に重圧をかけることとなり、結果として、鉢廃水孔８１の周りをパッキングする形となる点でＦＰ４の機能は同じである。つまりＦＰ４が鉢底の高さに対応できる。
【００６３】
（リング状突起についての説明）
図８（ａ）は天板裏面で、かつ天板孔を囲う形でリング状突起５が備えられている状態を示す斜視図であり、図８（ｂ）はその断面図である。また、この図８はリング状突起の位置関係を明確にするため、天板より下の図示を省いてある。説明に先立って、図８の上下関係を明確にする。リング状突起において、天板裏面に接している側を上側、突起先端側を下側とする。
【００６４】
図８（ａ）が示すように、リング状突起５は前記天板２２において、前記天板裏面２４で、かつ前記天板孔２５を囲う形態で備えられている。また、図８（ｂ）が示すように、上側の突起付け根５３から下側の突起先端５２に向けて先が細くなっている。これによって、前記突起先端が細くなっていない形態より、廃水を効果的に流し落とすことができる。
【００６５】
リング状突起５の有効素材は様々な素材が考えられるが、要点は防水性のあることである。例えば、プラスチックなど素材そのものに防水性があるものや、木を防水加工して取り付けるなど考えられる。
【００６６】
図９は、本実施形態における廃水Ｗの流れを示す断面図である。図１４で示した従来技術の問題点を解決する様子を示す。二点鎖線は鉢から出た廃水Ｗの流れを示している。また、図９は水受引き出し３を引き抜こうとしている時点の図であり、前記水受引き出し３が存在しないとき、補助の水受けとなる補助水受けトレー７の作用を図示してある。
【００６７】
図９が示すように、鉢廃水孔８１から出た廃水は各方面へ流れようとし、天板表面２３に出ようとする廃水もあるが、ＦＰ４は、前記廃水が前記天板表面２３へと流れようとする進路を防ぎ、前記廃水を天板孔２５へと流すことを可能とする。
【００６８】
前記天板孔を通って、水受本体２内部へ流れてきた廃水は天板裏面２４を伝って各方面に流れようとする廃水もあるが、リング状突起５は、前記廃水の進路を下へと導き、天板孔とリング状突起５の真下に位置する水受引き出し３の中へと流し落とすことを可能にする。
【００６９】
前記水受引き出し３の中に廃水が溜まり、その前記廃水を処理するために水受本体２から前記水受引き出し３を取り出したとき、前記水受引き出し３の下の備えてある補助水受けトレー７が一時的な水受けを担うことで、前記水受引き出し３が無い状態でも水受本体２内部に前記廃水を留めることができる。また、前記水受本体２内部に前記補助水受けトレーは常備される形態となり、前記水受引き出し３を抜いた際、他の水受け器具を準備する必要はなくなる。
【００７０】
前述したように、前記防水ケース６が前記水受本体２内部に内装されるので、事故で生じた衝撃や振動が前記水受本体２に加わったとき、前記水受引き出し３から水が飛び出ることが考えられるが、その時、前記防水ケース６によって、廃水を前記水受本体２内部に留めることができる。
【００７１】
第２実施形態は、第１実施形態の水受け機能付き鉢台において、FPの形態を変更したものである。その他の構造は第１実施形態と共通するため説明は援用し、対応する番号を１００番台とする。図１０（ａ）は第２実施形態のＦＰの形態を示す斜視図であり、図１０（ｂ）はその断面図である。第２実施形態では、ＦＰ１０４のパッキン土台１４３の厚さがパッキン本体１４１の厚さより増している。
【００７２】
第２実施形態においては、パッキン土台１４３の厚さがパッキン本体１４１よりも厚いので、ＦＰの上に鉢が置かれてＦＰの前記パッキン本体１４１が放射状に広がったとき、パッキン孔の内壁１４５が反りあがってくるのを防ぐ効果が増す。
【００７３】
図１１は図１０で図示した前記ＦＰを水受本体の天板１２２に設置した様子を示す斜視図である。また一部を断面図にして、前記ＦＰのパッキン土台１４３が厚くなった状態で前記天板に設置した様子を明確にするため、天板の下の図示を省いてある。
【００７４】
図１１が示すように、前記パッキン土台１４３を肉厚にすることに伴って、前記天板１２２の孔周り溝１２６の形態は前記パッキン土台１４３の形状に対応するので、結果として、前記孔周り溝１２６は、ＦＰ１０４のパッキン土台１４３とパッキン本体１４１の厚さが同じであった場合と比べて深くなる。
【００７５】
第３実施形態は、第２実施形態の水受け機能付き鉢台において、ＦＰのパッキン土台裏面にパッキン土台裏突起を備えた形態である。その他の構造は第２実施形態と共通するため説明は援用し、対応する番号を２００番台とする。図１２（ａ）は、第３実施形態のＦＰの斜視図であり、図１２（ｂ）はその断面図で、また図１２（ｃ）はＦＰを上下反転させた状態の斜視図である。また、説明に先立って、図１２の上下関係を明確にする。図１２において、ＦＰのパッキン本体最上部側が上であり、パッキン土台側が下である。
【００７６】
図１２（ａ）、（ｂ）が示すように、ＦＰ２０４において、前記パッキン土台裏面２４６で、かつパッキン孔２４４の周りを囲いながら、中央に孔を持ち、前記孔が前記ＦＰの前記パッキン孔２４４と連通しているパッキン土台裏突起２４７を有している。図１２（ｃ）に示すように、ＦＰ２０４はパッキン土台裏面２４６に前記パッキン土台裏突起２４７を有している。パッキン土台裏突起２４７が備えられた前記ＦＰを以降、突起付きＦＰと称して表記する。
【００７７】
図１３は、前記突起付きＦＰ２０４を天板に備えたときの状態を示す断面図である。
【００７８】
図１３が示すように、前記突起付きＦＰ２０４を前記天板２２２に備えたとき、前記パッキン土台裏突起２４７の先端が天板裏面２２４より下に出ている。この形態であるとき、廃水がパッキン孔２４４内と前記パッキン土台裏突起２４７の孔内を通って下へ流れ落ちるが、前記天板裏面２２４に廃水が流れることがなくなるので、結果として、第１実施形態で設けたリング状突起が必ずしも必要でなくなる。
【００７９】
第４実施形態は、第１実施形態における水受け機能付き鉢台において、前記リング状突起５の代わりに、前記リング状突起５が備えられる同じ位置に、すなわち、前記天板裏面３２４で、かつ前記天板孔３２５を囲う環状溝を備えた形態である。その他の構造は第１実施形態と共通するため説明は援用し、対応する番号を３００番台とする。図１４（ａ）は本実施形態の環状溝３５４を示す天板裏面の斜視図であり、図１４（ｂ）はその断面図である。
【００８０】
天板裏面に上記環状溝３５４を設けたことによって、前記リング状突起と同じ効果が得られ、天板裏面３２４を伝って流れる廃水を、凹状の環状溝３５４によって制御し、下方に流すことができる。
【００８１】
本発明の実施の形態は、上述した実施の形態に限定されるものではない。本発明の技術的思想を逸脱しない範囲において、改良、変更、追加等を加えることができる。それらの改変、均等物等も本発明の技術的範囲に含まれる。
【符号の説明】
【００８２】
１  水受け機能付き鉢台
２  水受本体
２１  筐体
２２、１２２、２２２、３２２  天板
２３、１２３、２２３，３２３  天板表面
２４、１２４、２２４、３２４  天板裏面
２５、１２５、２２５、３２５  天板孔
２６  孔周り溝
３  水受引き出し
４、１０４、２０４、３０４  逆円錐状パッキン（ＦＰ）
４１、１４１、２４１、３４１  パッキン本体
４２、１４２、２４２、３４２  パッキン本体最上部
４３、１４３、２４３、３４３  パッキン土台
４４、１４４、２４４、３４４  パッキン孔
１４５  パッキン孔の内壁
２４７  パッキン土台裏突起、
５、１０５  リング状突起
３５４  環状溝
６  防水ケース
７  補助水受けトレー、
８、３０８  鉢
Ｗ  廃水
【図１】
2018174820.tif 000003
【図２】
2018174820.tif 000004
【図３】
2018174820.tif 000005
【図４】
2018174820.tif 000006
【図５】
2018174820.tif 000007
【図６】
2018174820.tif 000008
【図７】
2018174820.tif 000009
【図８】
2018174820.tif 000010
【図９】
2018174820.tif 000011
【図１０】
2018174820.tif 000012
【図１１】
2018174820.tif 000013
【図１２】
2018174820.tif 000014
【図１３】
2018174820.tif 000015
【図１４】
2018174820.tif 000016
【図１５】
2018174820.tif 000017